(57)【要約】【課題】１個の検知ユニットに送信機能と受信機能を持たせることで、低コストで且つ意匠性に優れたものとし、侵入場所の特定をしやすくすると共に、検知ユニットの数を減らすことができ、検知ユニットを目立ちにくくでき、良好な住環境イメージを維持しながら防犯効果を高めるようにすること。【解決手段】送信部から送信された赤外線Ａを受信部で受信する際に侵入者により赤外線Ａが遮られたときにこれを検知して威嚇・報知等を行なう防犯システムである。一側面１ａに赤外線Ａを送信する送信部２を有し且つ一側面１ａと対向する他側面１ｂに赤外線Ａを受信する受信部３を有する送信・受信一体型の検知ユニット１を備える。複数個の検知ユニット１を、対向する一方の検知ユニット１の送信部２と他方の検知ユニット１の受信部３とが向かい合わせとなるように防犯エリアに沿って隔設する。【選択図】        図１
2004318388.tif 000002
【特許請求の範囲】
【請求項１】
送信部から送信された赤外線を受信部で受信する際に侵入者により赤外線が遮られたときにこれを検知して威嚇・報知等を行なう防犯システムであって、一側面に赤外線を送信する送信部を有し且つ一側面と対向する他側面に赤外線を受信する受信部を有する送信・受信一体型の検知ユニットを備え、複数個の検知ユニットを、対向する一方の検知ユニットの送信部と他方の検知ユニットの受信部とが向かい合わせとなるように防犯エリアに沿って隔設したことを特徴とする防犯システム。
【請求項２】
上記防犯エリアに沿ったコーナー部に設置される検知ユニットに、コーナー部の角度に合わせて赤外線の角度を曲げるための反射鏡を取り付けたことを特徴とする請求項１記載の防犯システム。
【請求項３】
上記反射鏡は、赤外線の曲げ角度が調整自在となるように回転可能としたことを特徴とする請求項２記載の防犯システム。
【請求項４】
上記コーナー部に設置される検知ユニットに、反射鏡を回転可能に保持するアタッチメントを装着し、アタッチメントの長手方向の一端側に検知ユニットに対して係止される係止部を設けると共にアタッチメントの長手方向の他端側に検知ユニットに対してビス止めされるビス止め部を設けたことを特徴とする請求項２又は請求項３記載の防犯システム。
【請求項５】
上記検知ユニットは、住宅外構フェンスの側面に沿って立設される支柱の上端部に設置されることを特徴とする請求項１乃至請求項４のいずれかに記載の防犯システム。
【請求項６】
上記検知ユニットに、赤外線の角度調整時において送信部からの赤外線が受信部で受信されないときにこれを表示する表示部を設けたことを特徴とする請求項１乃至請求項５のいずれかに記載の防犯システム。
【発明の詳細な説明】
【０００１】
【発明の属する技術分野】
本発明は、防犯システムに関し、詳しくは例えば侵入者が住宅外構フェンスを乗り越えた際に赤外線にてこれを検知して威嚇・報知等を行なう検知ユニットの構造に関するものである。
【０００２】
【従来の技術】
従来、住宅外構フェンスを侵入者が乗り越えたときにこれを検知する防犯システムとして、図２０、図２１に示すように、赤外線Ａの送信機１Ａと受信機１Ｂとを別々に設けて検知する方法が一般的に知られている（例えば、特許文献１参照）。なお図２１中の６０は門である。
【０００３】
【特許文献１】
実開平６−６７９０８号公報
【０００４】
【発明が解決しようとする課題】
ところで、従来では、送信機１Ａと受信機１Ｂとが別々で構成されているため、その検知距離がフェンスの長さよりも短い場合は、図２０に示すように、フェンスの支柱１２を中継部として、この支柱１２に２個の送信機１Ａと受信機１Ｂとを背中合わせに設置する必要がある。またフェンスのコーナー部Ｂにおいては、図２１に示すように、２個の送信機１Ａと受信機１Ｂとを角度を変えて並べて設置する必要もある。そのうえ従来では侵入場所の特定をしやすくするためには送信機１Ａと受信機１Ｂの数が増加し、コストが高くつくうえに、設置に手間がかかるという問題があり、さらに送信機１Ａと受信機１Ｂの数が増えることで外部から見て目立ちやすくなり、意匠性に優れないだけでなく、見た目にも物々しいイメージが生じ、侵入者以外の者に対して監視による威圧感を与えるなど、住環境イメージが損なわれるという問題もある。
【０００５】
本発明は、上記の従来例の問題点に鑑みて発明したものであって、その目的とするところは、１個の検知ユニットに送信機能と受信機能を持たせることで、低コストで且つ意匠性に優れたものとし、侵入場所の特定がしやすくなると共に検知ユニットの数を減らすことができ、これにより、検知ユニットを目立ちにくくでき、見た目にも物々しいイメージがなくなり、良好な住環境イメージを維持しながら防犯効果を高めることができる防犯システムを提供することにあり、他の目的とするところは、防犯エリアのコーナー部の検知ユニットの数を少なくでき、また、検知ユニットをコーナー部に完全固定状態で赤外線の曲げ角度を容易且つ正確に調整でき、また、コーナー部の検知ユニットに反射鏡付きアタッチメントを容易に取り付けることができる防犯システムを提供することにあり、他の目的とするところは、フェンスの支柱にすっきりと納まる形で検知ユニットを設置でき、さらに検知ユニットの赤外線の角度調整作業を報知灯を利用して容易に行なえるようにした防犯システムを提供することにある。
【０００６】
【課題を解決するための手段】
上記課題を解決するために本発明にあっては、送信部２から送信された赤外線Ａを受信部３で受信する際に侵入者により赤外線Ａが遮られたときにこれを検知して威嚇・報知等を行なう防犯システムであって、一側面１ａに赤外線Ａを送信する送信部２を有し且つ一側面１ａと対向する他側面１ｂに赤外線Ａを受信する受信部３を有する送信・受信一体型の検知ユニット１を備え、複数個の検知ユニット１を、対向する一方の検知ユニット１の送信部２と他方の検知ユニット１の受信部３とが向かい合わせとなるように防犯エリアに沿って隔設したことを特徴としており、このように構成することで、複数個の検知ユニット１相互間で送信・受信を順次繰り返すようになり、防犯エリアを連続的に検知できるようになると共に、１個の検知ユニット１に送信機能と受信機能を持たせたので、従来のように２個１組の送信機と受信機とを並べて設置する必要がない。また防犯エリアの途中に中継部を増やすことで侵入場所の特定がしやすくなると共に、従来と比較して検知ユニット１の数を少なくできるので、検知ユニット１が目立ちにくく、見た目にも物々しいイメージがなくなり、侵入者以外の者に対して監視による威圧感を与えるようなこともなくなる。
【０００７】
また上記防犯エリアに沿ったコーナー部Ｂに設置される検知ユニット１に、コーナー部Ｂの角度θに合わせて赤外線Ａの角度を曲げるための反射鏡４を取り付けるのが好ましく、この場合、コーナー部Ｂに設けた検知ユニット１の送信部２からの赤外線Ａは反射鏡４によって角度を変えられて対向する検知ユニット１の受信部３にて受信されるようになるため、コーナー部Ｂに設けられる検知ユニット１の数も１個で済み、コーナー部Ｂにおいても検知ユニット１の数を減らすことができる。
【０００８】
また上記反射鏡４は、赤外線Ａの曲げ角度が調整自在となるように回転可能とするのが好ましく、この場合、検知ユニット１を防犯エリアのコーナー部Ｂに完全固定状態で、反射鏡４を回転させることで赤外線Ａの曲げ角度を任意に調整可能となり、検知ユニット１全体を回転させて調整を行なう必要がなくなる。
【０００９】
また上記コーナー部Ｂに設置される検知ユニット１に、反射鏡４を回転可能に保持するアタッチメント５を装着し、アタッチメント５の長手方向の一端側に検知ユニット１に対して係止される係止部６を設けると共にアタッチメント５の長手方向の他端側に検知ユニット１に対してビス止めされるビス止め部７を設けるのが好ましく、この場合、反射鏡４をアタッチメント５にて保護できると共に、アタッチメント５を係止とビス止めとによって検知ユニット１に固定することで、ビス止め数を減らすことができ、現場でのアタッチメント５の取り付け、取り外し等が容易となる。
【００１０】
また上記検知ユニット１は、住宅外構フェンス１１の側面に沿って立設される支柱１２の上端部に設置されるのが好ましく、この場合、フェンス１１廻りを検知する場合においてフェンス１１の支柱１２を防犯エリアの中継部として利用できると共に、従来のように中継部に２個の送信機と受信機を設ける必要がなく、送信・受信一体型の検知ユニット１を支柱１２にすっきりと納まる形で設置可能となる。
【００１１】
また上記検知ユニット１に、赤外線Ａの角度調整時において送信部２からの赤外線Ａが受信部３で受信されないときにこれを表示する表示部１４を設けるのが好ましく、この場合、検知ユニット１の施工時において赤外線Ａが受信部３で正確に受信されているかどうかを表示部１４で見て、赤外線Ａの角度調整作業を容易に行なえるようになる。
【００１２】
【発明の実施の形態】
以下、本発明を添付図面に示す実施形態に基づいて説明する。
【００１３】
図１及び図２は本実施形態の送信・受信一体型の検知ユニット１を住宅外構フェンス１１に取り付けた場合の防犯システムの一例を示し、図３は検知ユニット１の外観を示している。
【００１４】
本防犯システムは、送信部２から送信された赤外線Ａを受信部３で受信する際に、フェンス１１を乗り越える侵入者により赤外線Ａが遮られたときにこれを検知して威嚇・報知等を行なう方式である。なお、フェンス１１は図１に示すように、例えば上下複数の横桟１１ａと左右複数の縦桟１１ｂとを組み合わせたフェンス本体１１ｃと、フェンス本体１１ｃの側面に沿って立設される複数本の支柱１２とで構成されている。各支柱１２はフェンス本体１１ｃの側面に沿った自由な位置で施工可能となっている自由柱である。
【００１５】
上記検知ユニット１は、図２（ｂ）に示すように、一側面１ａに赤外線Ａを送信する送信部２を有し且つ一側面１ａと対向する他側面１ｂに赤外線Ａを受信する受信部３を有する送信・受信一体型となっている。ここでは上下２つの送信部２及び受信部３をそれぞれ備え、送信・受信共に赤外線Ａを２本（ダブルビーム方式）とすることで、鳥などの小動物や落ち葉、外乱等による誤動作を軽減できるようになっている。
【００１６】
また、検知ユニット１は、対向する一方の検知ユニット１の一側面１ａと他方の検知ユニット１の他側面１ｂとが向かい合わせとなり、且つ対向する送信部２と受信部３とが一直線上に位置するように、図２（ａ）のようにフェンス１１に隔設されている。なお図２（ａ）中の６０は門である。
【００１７】
ここで、検知ユニット１の外郭ケースは送信ケース１５と受信ケース１６とからなる。本例では送信側と受信側との区別を明確に認識できるようにするため、送信ケース１５と受信ケース１６は左右非対象の外郭形状を有している。本例の送信ケース１５は、図４、図５に示すように、その上下２箇所に赤外線Ａを通すレンズ１７（図１１）が設けられる庇１８付き開口部１９が設けられていると共に、送信ケース１５の両側面には報知灯１３が設置されている。一方、受信ケース１６は、図６、図７に示すように、上下２箇所に赤外線Ａを通すレンズ１７（図１１）が設けられる開口部２２が設けられている。これら送信ケース１５と受信ケース１６とを背面合わせにしてビス止めすることで、両ケースは図３に示すように一体に組み立てられている。
【００１８】
図８は検知ユニット１の検知回路の一例を示している。受信部３側の上下２箇所に赤外線Ａを受光するフォトトランジスタが設けられている。各フォトトランジスタの検知信号は、バンドパスフィルタ（ノイズ除去）、増幅部、コンパレータ（波形整形）を介してマイクロコンピュータ４０に入力される。マイクロコンピュータ４０の出力側は、ＬＥＤ駆動信号線４１，４２を介して送信部２側の赤外線Ａを放つ上下２個の発光ダイオードＬＥＤにそれぞれ接続されていると共に、別のＬＥＤ駆動信号線４３を介して報知灯１３に接続されている。報知灯１３は侵入者に対して威嚇等を行なうものである。つまり、侵入者によって赤外線Ａが遮られないときは例えば図９（ｂ）の上に示す送信波形、受信波形となっているが、図９（ａ）のように侵入者が赤外線Ａを遮ると受信が遮断されるため、受信波形は図９（ｂ）の閾値（受信信号規定値）以下となって報知灯１３が点灯する。なお報知灯１３の点灯に加えて、音声やブザー等による警報音を鳴らしたり、或いは検出出力を検出信号伝送線又は無線等により管理者室や警備会社に伝送することも可能である。また検知ユニット１の電源は、内蔵電池或いは外部電源や太陽電池を利用したものでもよい。
【００１９】
しかして、上記送信・受信一体型の検知ユニット１を図２の適宜間隔Ｄ（例えば、６ｍ）をあけて配置する。このとき、対向する一方の検知ユニット１の一側面１ａと他方の検知ユニット１の他側面１ｂとを向かい合わせにし且つ対向する送信部２と受信部３とが一直線上に位置するように配置することによって、複数個の検知ユニット１相互間で送信・受信を順次繰り返すようになり、フェンス１１廻りを連続的に検知可能となる。しかも、１個の検知ユニット１に送信機能と受信機能を持たせたので、従来のように２個１組の送信機と受信機とを並べて設置する必要がなく、低コストで且つ意匠性に優れた検知ユニット１が得られるものである。さらに防犯エリアの途中に中継部を増やす場合は、フェンス１１廻りを検知する場合においてフェンス１１の支柱１２を中継部として利用でき、これにより侵入場所の特定がしやすくなり、しかも図１のように１本の支柱１２に１個の検知ユニット１を設置すればよいため、検知ユニット１の数を少なくできるので、検知ユニット１が目立ちにくくなり、見た目にも物々しいイメージがなくなり、侵入者以外の者に対して監視による威圧感を与えることがなくなる結果、良好な住環境イメージを維持しながら防犯効果を高めることができる。
【００２０】
次に、図１０〜図１８を参照して検知ユニット１をフェンス１１のコーナー部Ｂに設置する場合の一例を説明する。本例では、コーナー部Ｂに設置される検知ユニット１の送信部２側にアタッチメント５を装着し、このアタッチメント５に赤外線Ａを反射させて赤外線Ａの角度を変えるための反射鏡４を取り付けている。
【００２１】
上記アタッチメント５の外郭ケースは、図１０、図１１に示すように、ボデイ部５ａとカバー部５ｂとからなる。ボデイ部５ａは、図１２、図１３に示すように、上下２箇所に赤外線Ａを通す開口部２０を有する基板２５と、基板２５の上端からカバー部５ｂ側に突出するビス孔２７付き固定部２６と、基板２５の下端からカバー部５ｂ側に突出する係止溝８ａ付き係止部８とが一体形成されている。
【００２２】
ボデイ部５ａを検知ユニット１に取り付けるにあたって、図１３に示すように、ボデイ部５ａの背面の上端側には、検知ユニット１の送信ケース１５に設けた引掛け溝５０に係止される上向きの係止部６が設けられている。ここでは、検知ユニット１の開口部１９の庇１８（図４（ａ））の下面に引掛け溝５０が設けられ、図１１に示すように、係止部６を引掛け溝５０に下方から引掛けて係止できるようになっている。さらにボデイ部５ａの下端側の両サイドには検知ユニット１の送信ケース１５に設けたビス孔１０（図４）にビス止めされるビス止め部７が設けられており、ボデイ部５ａは係止とビス止めとによって検知ユニット１の送信ケース１５に対して取り付け可能となっている。
【００２３】
アタッチメント５のカバー部５ｂは、赤外線Ａを通す材質で構成され、反射鏡４（図１１）を覆う形状をしている。このカバー部５ｂをボデイ部５ａに取り付けるにあたっては、図１４、図１５に示すように、カバー部５ｂの上端部に、ボデイ部５ａのビス孔２７（図１２）ビス止めされるビス孔２９が設けられ、カバー部５ｂの下端部には、ボデイ部５ａの係止部８周縁に設けた係止溝８ａに係止される係止部９が設けられている。これによりカバー部５ｂは係止とビス止めとによってボデイ部５ａに対して固定できるようになっている。なお本例では、カバー部５ｂの下端部の両サイドにビス孔３０が設けられ、このビス孔３０から長尺ビスを挿入し、さらにボデイ部５ａのビス止め部７を貫通して検知ユニット１のビス孔１０（図４）に螺合することで、検知ユニット１に対するボデイ部５ａの下端部の固定とカバー部５ｂの下端部の固定とが同時に行なわれている。
【００２４】
上記アタッチメント５には、赤外線Ａを反射する反射鏡４と、反射鏡４を回転させて赤外線Ａの曲げ角度を調整自在とするための回転機構とが設けられている。反射鏡４は、コーナー部Ｂの角度θに合わせて赤外線Ａの角度を曲げるためのものであり、図１６、図１７に示すように、上下方向に長い板材３１の上下２箇所に設けられている。なお、ここでは板材３１の表面に赤外線Ａの減衰率が小さい高反射率の加工（例えばアルミ、銅等の蒸着、或いはメッキ等）を施すことで反射鏡４を形成しているが、板材３１とは別構成の反射鏡を板材３１に接合するものであってもよい。
【００２５】
上記反射鏡４を回転させる回転機構は、アタッチメント５の上下両端部に設けた支持孔３３，３４と、反射鏡４の回転軸３５の上軸部３５ａに嵌入される操作ダイヤル３６（図１８）を備えている。操作ダイヤル３６はカバー部５ｂに設けた操作用開口部２１から突出している。そして、反射鏡４の回転軸３５の上軸部３５ａ及び下軸部３５ｂをアタッチメント５の上下の支持孔３３，３４に回転自在に挿入することで、反射鏡４をアタッチメント５に対して回転可能に取り付けることができ、操作ダイヤル３６を回転させることで、アタッチメント５の外部から反射鏡４を回転軸３５を中心に回転操作できるようになっている。なお、反射鏡４の角度が振動、外乱等で容易に変わらないようにするため、例えば、回転軸３５とアタッチメント５との接触部に摩擦付与用のゴム製リングを取り付けるようにしてもよい。またこれ以外の方法として、摩擦、ピニオン等にて適度な負荷を回転軸３５に付与するようにしてもよい。
【００２６】
しかして、反射鏡４をアタッチメント５によって保護できると共に、アタッチメント５のボデイ部５ａを係止とビス止めとによって検知ユニット１の送信ケース１５に簡単且つ確実に固定できると共に、アタッチメント５のカバー部５ｂもまたボデイ部５ａに対して係止とビス止めとによって簡単に固定できる結果、現場でのアタッチメント５の取り付け、取り外し等も容易となる。また図２（ａ）に示すように、フェンス１１のコーナー部Ｂに設けた検知ユニット１に反射鏡４付きアタッチメント５を取り付け、反射鏡４によりコーナー部Ｂの角度θに合わせて送信部２からの赤外線Ａを対向する検知ユニット１の受信部３にて受信できるようになるため、コーナー部Ｂに設けられる検知ユニット１の数も１個でよい。この点で、従来のコーナー部Ｂに２個の送信機と受信機とを並べて設ける場合とは異なる。つまり、検知ユニット１はフェンス１１のコーナー部Ｂでも使用可能となり、そのうえ１個の検知ユニット１で済むため、コーナー部Ｂにおいてもコストの低減、及び意匠性の向上を図ることが可能となる。
【００２７】
さらに、反射鏡４を回転可能とする回転機構（操作ダイヤル３６等）を備えているので、検知ユニット１をフェンス１１のコーナー部Ｂに完全固定状態で、反射鏡４を回転させることで赤外線Ａの曲げ角度を任意に調整できるようになり、反射鏡４を利用して赤外線Ａの角度調整を手動で行なうことができ、これにより検知ユニット１全体を回転させて調整を行なう必要がないため、施工時の調整作業が向上する。
【００２８】
なお、反射鏡４は必ずしも回転機構を備える必要はなく、反射鏡４をアタッチメント５に対して回転できないように固定し、コーナー部Ｂに設置される検知ユニット１全体の角度を調整することも可能である。
【００２９】
次に、コーナー部Ｂを含むフェンス１１廻りに検知ユニット１を設置する際に、赤外線Ａの角度調整を行なう方法の一例を説明する。検知ユニット１には、上記したように報知灯１３（兼威嚇灯）が設置されているが、本例では、この報知灯１３を、検知ユニット１が正確に設置されているかどうかを表示するものとして利用する。つまり、赤外線Ａの角度調整時において送信部２からの赤外線Ａが受信部３で受信されないときにこれを表示する表示部１４として利用する。ここでは検知ユニット１が受信信号の強さを検出し、受信信号の強さに応じて報知灯１３の点灯状態を変化させるようにしている。その一例を図１９に示す。図１９の縦軸は受信信号強さ、横軸は報知灯１３の変化状態をそれぞれ示している。検知ユニット１を設置する際に、対向する一方の送信部２からの赤外線Ａの送信方向が他方の受信部３の受信可能な角度から外れている場合、これを修正して適正な角度に調整する必要がある。ここでは、受信部３における受信信号の強さが最も弱いときは、報知灯１３は赤色点灯状態にあり、それより強くなると赤色点滅（遅）状態、さらに強くなる赤色点滅（速）状態となり、最終的に受信信号の強さが最も強くなったとき（受信信号規定値（閾値）Ｌを越えたとき）は報知灯１３は青色点灯状態となる。かかる報知灯１３の点灯状態を調整者が見ながら反射鏡４を回転操作することによって、赤外線Ａの角度調整を容易に行なうことができる。特に、フェンス１１のコーナー部Ｂにおける角度調整作業が容易となる。なお図１９の報知灯１３の点灯変化は調整時のみに実施されるモードであり、通常の防犯警戒時は侵入者による検出と区別がつかなくなるため表示部１４として実施されない。
【００３０】
しかして、検知ユニット１をフェンス１１廻り、特にコーナー部Ｂに対して完全固定状態で赤外線Ａの角度（光軸）調整を行なうことが可能となる。つまり、反射鏡４を回転操作して赤外線Ａの受信状態により変化する報知灯１３を見て、赤外線Ａが受信部３で正確に受信されているかどうかを確認でき、調整作業を容易に行なうことができるので、調整作業が一層はかどり、施工性が向上する。
【００３１】
なお、前記実施形態では検知ユニット１に設けられている報知灯１３を、赤外線Ａの角度調整を行なう際の表示部１４として利用しているが、表示部１４を報知灯１３とは別に設けることも可能である。
【００３２】
本発明に係る防犯システムは、マンション、アパート、一戸建て等の建築物の住宅外構やベランダ等のフェンス１１以外に、学校等の公共施設の塀廻りにも広く適用できるものである。
【００３３】
【発明の効果】
上述のように請求項１記載の発明にあっては、送信部から送信された赤外線を受信部で受信する際に侵入者により赤外線が遮られたときにこれを検知して威嚇・報知等を行なう防犯システムであって、一側面に赤外線を送信する送信部を有し且つ一側面と対向する他側面に赤外線を受信する受信部を有する送信・受信一体型の検知ユニットを備え、複数個の検知ユニットを、対向する一方の検知ユニットの送信部と他方の検知ユニットの受信部とが向かい合わせとなるように防犯エリアに沿って隔設したことを特徴としており、これにより複数個の検知ユニット相互間で送信・受信を順次繰り返すようになり、防犯エリアを連続的に検知できるようになると共に、１個の検知ユニットに送信機能と受信機能を持たせたので、従来のように２個１組の送信機と受信機とを並べて設置する必要がなく、低コストで且つ意匠性に優れた検知ユニットが得られるものである。さらに防犯エリアの途中に中継部を増やすことで侵入場所の特定がしやすくなると共に、従来と比較して検知ユニットの数を少なくでき、これにより、検知ユニットが目立ちにくく、見た目にも物々しいイメージがなくなり、侵入者以外の者に対して監視による威圧感を与えることがなくなる結果、良好な住環境イメージを維持しながら防犯効果を高めることができるものである。
【００３４】
また請求項２記載の発明は、請求項１記載の効果に加えて、上記防犯エリアに沿ったコーナー部に設置される検知ユニットに、コーナー部の角度に合わせて赤外線の角度を曲げるための反射鏡を取り付けたので、コーナー部に設けた検知ユニットの送信部からの赤外線は反射鏡によって角度を変えられて対向する検知ユニットの受信部にて受信されるようになるため、コーナー部に設けられる検知ユニットの数も１個で済む。従って、従来のようにコーナー部に２個の送信機と受信機とを並べて設ける場合と比較して、コーナー部での検知ユニットの数を減らすことができ、コストの低減、及び意匠性の向上を図ることができる。
【００３５】
また請求項３記載の発明は、請求項２記載の効果に加えて、上記反射鏡は、赤外線の曲げ角度が調整自在となるように回転可能としたので、検知ユニットを防犯エリアのコーナー部に完全固定状態で、反射鏡を回転させることで赤外線の曲げ角度を任意に調整可能となる。従って、検知ユニット全体を回転させて調整を行なう必要がないため、施工時の調整作業が向上する。
【００３６】
また請求項４記載の発明は、請求項２又は請求項３記載の効果に加えて、上記コーナー部に設置される検知ユニットに、反射鏡を回転可能に保持するアタッチメントを装着し、アタッチメントの長手方向の一端側に検知ユニットに対して係止される係止部を設けると共にアタッチメントの長手方向の他端側に検知ユニットに対してビス止めされるビス止め部を設けたので、反射鏡をアタッチメントによって保護できると共に、アタッチメントを係止とビス止めとによって検知ユニットに固定することで、ビス止め数を減らすことができ、現場でのアタッチメントの取り付け、取り外し等も容易となる。
【００３７】
また請求項５記載の発明は、請求項１乃至請求項４のいずれかに記載の効果に加えて、上記検知ユニットは、住宅外構フェンスの側面に沿って立設される支柱の上端部に設置されるので、フェンス廻りを検知する場合においてフェンスの支柱を防犯エリアの中継部として利用できると共に、従来のように中継部に２個の送信機と受信機を設ける必要がなく、送信・受信一体型の検知ユニットを支柱にすっきりと納まる形で設置可能となり、住環境イメージを、より一層、高く維持できるようになる。
【００３８】
また請求項６記載の発明は、請求項１乃至請求項５のいずれかに記載の効果に加えて、上記検知ユニットに、赤外線の角度調整時において送信部からの赤外線が受信部で受信されないときにこれを表示する表示部を設けたので、検知ユニットの施工時において赤外線が受信部で正確に受信されているかどうかを表示部で見て、赤外線の角度調整作業を容易に行なうことができ、従って、調整作業が一層はかどり、施工性が向上する。
【図面の簡単な説明】
【図１】本発明の一実施形態の送信・受信一体型の検知ユニットを適宜間隔をあけてフェンスに隔設した場合の一例を示す斜視図である。
【図２】（ａ）は同上の検知ユニットが配置される防犯エリアの一例を説明する平面図、（ｂ）は検知ユニットの配置状態の説明図である。
【図３】（ａ）は同上の検知ユニットを送信ケース側から見た斜視図、（ｂ）は受信ケース側から見た斜視図である。
【図４】同上の送信ケースの斜視図である。
【図５】（ａ）は同上の送信ケースの背面図、（ｂ）は側面図である。
【図６】同上の受信ケースの斜視図である。
【図７】（ａ）は同上の受信ケースの背面図、（ｂ）は側面図である。
【図８】同上の検知ユニットの回路構成図である。
【図９】（ａ）は同上の赤外線が侵入者により遮られた場合の説明図、（ｂ）は信号が遮断されたときから報知灯が点灯する場合の説明図である。
【図１０】（ａ）は同上の検知ユニットに反射鏡付きアタッチメントを装着した状態の斜視図、（ｂ）は検知ユニットとアタッチメントの分解斜視図である。
【図１１】同上の反射鏡付きアタッチメントを検知ユニットに装着した場合の断面図である。
【図１２】同上のアタッチメントのボデイ部の斜視図である。
【図１３】（ａ）はボデイ部の平面図、（ｂ）は側面図、（ｃ）は正面図である。
【図１４】同上のアタッチメントのカバー部の斜視図である。
【図１５】（ａ）はカバー部の平面図、（ｂ）は側面図、（ｃ）は正面図である。
【図１６】同上の反射鏡が形成された板材の斜視図である。
【図１７】（ａ）は同上の反射鏡が形成された板材の正面図、（ｂ）は側面図である。
【図１８】（ａ）は同上の操作ダイヤルの平面図、（ｂ）は側面図である。
【図１９】同上の報知灯を赤外線の角度調整を行なう表示部として利用する場合において、報知灯の点灯状態の変化の一例を説明するグラフである。
【図２０】従来の送信機と受信機の配列状態を説明する平面図である。
【図２１】従来のフェンスの支柱に送信機と受信機とを背中合わせに設置した場合の説明図である。
【符号の説明】
１  検知ユニット
１ａ  一側面
１ｂ  他側面
２  送信部
３  受信部
４  反射鏡
５  アタッチメント
６  係止部
７  ビス止め部
１１  フェンス
１２  支柱
１４  表示部
Ａ  赤外線
Ｂ  コーナー部
θ  コーナー部の角度
【図１】
2004318388.tif 000003
【図２】
2004318388.tif 000004
【図３】
2004318388.tif 000005
【図４】
2004318388.tif 000006
【図５】
2004318388.tif 000007
【図６】
2004318388.tif 000008
【図７】
2004318388.tif 000009
【図８】
2004318388.tif 000010
【図９】
2004318388.tif 000011
【図１０】
2004318388.tif 000012
【図１１】
2004318388.tif 000013
【図１２】
2004318388.tif 000014
【図１３】
2004318388.tif 000015
【図１４】
2004318388.tif 000016
【図１５】
2004318388.tif 000017
【図１６】
2004318388.tif 000018
【図１７】
2004318388.tif 000019
【図１８】
2004318388.tif 000020
【図１９】
2004318388.tif 000021
【図２０】
2004318388.tif 000022
【図２１】
2004318388.tif 000023